(57)【特許請求の範囲】
【請求項１】
処置エネルギを手術具に供給する処置エネルギ発生手段と、
前記処置エネルギ発生手段の出力を可変する可変手段と、
前記処置エネルギ発生手段から前記手術具を介して生体組織に供給される処置エネルギにおける所定物理量の値を検出する検出手段と、
前記検出手段において検出した所定物理量の値に基づいて、当該所定物理量の所定期間内における最大値または最小値を検出する物理量変化値検出手段と、
前記処置エネルギ発生手段が出力を開始した後、前記物理量変化値検出手段が当該出力開始後の前記所定物理量の最大値または最小値を検出するまでの時間を計測する計測手段と、
前記物理量変化値検出手段により検出した前記所定物理量の前記最大値または最小値、及び前記計測手段において計測した計測時間に基づいて前記手術具で把持される生体組織の厚み及び当該生体組織と前記手術具との接触面積を算出する算出手段と、
前記算出手段による算出結果に基づいて、前記処置エネルギにおける所定物理量の所定目標値を決定し、当該所定目標値に達した際に前記可変手段を制御して前記エネルギー発生手段の出力値を可変制御する制御手段と、
を具備したことを特徴とする電気手術装置。
【発明の詳細な説明】
【０００１】
【発明の属する技術分野】
本発明は、電気手術装置、更に詳しくは高周波電流の出力制御部分に特徴のある電気手術装置に関する。
【０００２】
【従来の技術】
一般に、電気メス等の電気手術装置は、外科手術あるいは内科手術で生体組織の切開や凝固止血等の処置を行う際に用いられる。
このような電気手術装置は、高周波電流を発生する高周波焼灼電源装置と、この高周波焼灼電源装置に接続される手術具とから構成され、前記手術具を患者の生体組織に接触させて高周波焼灼電源装置から手術具を介して高周波電流を生体組織に供給し、生体組織に対して切開や、凝固止血等の処置を施すものである。
【０００３】
上述した電気手術装置は従来より種々提案されており、例えば特開平８−９８８４５号公報に記載の電気手術装置は、凝固処置する生体組織の炭化を防止し、生体組織の電極への付着を防止するため、凝固処置の終了を組織インピーダンスより判定し、高周波電流の出力を停止するものが提案されている。
【０００４】
また、特開平１０−２２５４６２号公報に記載の電気手術装置は、凝固処置の終了の判定を行った後、高周波電流の出力を停止せず低下させ、凝固終了の判定後、術者が凝固処置不十分と判断した場合、処置を継続できるようにしたものが提案されている。また、凝固処置を継続する際には、高周波電流の出力が低下しているため、生体組織の変性のスピードが遅く、術者は所望の凝固状態が得られた時点で処置を終了することが可能となっている。
【０００５】
【発明が解決しようとする課題】
一般に、生体組織とこの生体組織を把持する手術具である電極との接触面積が小さくなるほど、生体組織の組織インピーダンスの変化が速くなる。
【０００６】
このため、上記特開平８−９８８４５号公報や特開平１０−２２５４６２号公報に記載の電気手術装置は、生体組織とこの生体組織を把持する手術具（電極）との接触面積が小さい場合、組織インピーダンスの測定、凝固処置の終了の判定を行っている間に、生体組織の炭化及び生体組織の手術具（電極）への付着が発生してしまう虞れが生じる。
また、上記特開平１０−２２５４６２号公報の電気手術装置では、生体組織とこの生体組織を把持する手術具（電極）との接触面積が小さい場合、あるいは手術具（電極）によって把持された生体組織の厚みが小さい場合には生体組織の変性のスピードが速くなり、所望の凝固状態が得られた時点で術者が処置を終了することが困難であった。また、接触面積が大きい場合、手術具（電極）によって把持された生体組織の厚みが大きい場合は、生体組織の変性のスピードが過度に遅くなり、所望の凝固状態が得られるまでの時間が長くなるという問題があった。
【０００７】
本発明はこれらの事情に鑑みてなされたものであり、生体組織とこの生体組織を把持する手術具（電極）との接触面積及び手術具（電極）によって把持された生体組織の厚みによらず、確実に凝固処置の終了の判定を行い、生体組織の炭化及び生体組織の手術具（電極）への付着を防止できる電気手術装置を提供することを目的とする。
【０００８】
【課題を解決するための手段】
本発明の電気手術装置は、処置エネルギを手術具に供給する処置エネルギ発生手段と、前記処置エネルギ発生手段の出力を可変する可変手段と、前記処置エネルギ発生手段から前記手術具を介して生体組織に供給される処置エネルギにおける所定物理量の値を検出する検出手段と、前記検出手段において検出した所定物理量の値に基づいて、当該所定物理量の所定期間内における最大値または最小値を検出する物理量変化値検出手段と、前記処置エネルギ発生手段が出力を開始した後、前記物理量変化値検出手段が当該出力開始後の前記所定物理量の最大値または最小値を検出するまでの時間を計測する計測手段と、前記物理量変化値検出手段により検出した前記所定物理量の前記最大値または最小値、及び前記計測手段において計測した計測時間に基づいて前記手術具で把持される生体組織の厚み及び当該生体組織と前記手術具との接触面積を算出する算出手段と、前記算出手段による算出結果に基づいて、前記処置エネルギにおける所定物理量の所定目標値を決定し、当該所定目標値に達した際に前記可変手段を制御して前記エネルギー発生手段の出力値を可変制御する制御手段と、を具備したことを特徴とする。
【０００９】
【発明の実施の形態】
以下、図面を参照して本発明の実施の形態を説明する。
（第１の実施の形態）
図１ないし図７は本発明の第１の実施の形態に係り、図１は本発明の第１の実施の形態の電気手術装置の全体構成を説明する外観構成図、図２は図１の高周波焼灼電源の構成を示す回路ブロック図、図３は図２に示される制御部の制御の流れを示すフローチャート、図４は電極が組織を把持した際の正面図、図５は電極が組織を把持した際の上面図、図６は高周波電源の動作を説明する第１のグラフ、図７は高周波電源の動作を説明する第２のグラフである。
【００１０】
図１に示すように本実施の形態の電気手術器１は、高周波焼灼電源２と、この高周波焼灼電源２からの高周波電流を患者４の生体組織４ａに供給する手術具としての一対の電極３とから主に構成される。また、前記高周波焼灼電源２には、高周波電流のＯＮ／ＯＦＦ制御を行うフットスイッチ５が接続されている。
【００１１】
図２に示すように前記一対の電極３は患者４の生体組織４ａを把持することで、電極３に把持された厚みｔの生体組織４ａに高周波電流を供給するようになっている。また、図５に示すようにこのときの生体組織４ａとこの生体組織４ａとを把持している電極３との接触面積をＡとしている。
【００１２】
図２に示すように前記高周波焼灼電源２は、直流電流を供給する直流電源回路２１と、前記直流電源回路２１から直流電流を高周波電流に変換する高周波発生回路２２と、前記高周波発生回路２２に対して高周波電流の波形を制御する波形生成回路２３と、前記高周波発生回路２２からの高周波電流を前記一対の電極３に出力する出力トランス２４と、前記出力トランス２４より出力される出力電流を検出する検出手段としての電流センサ２５と、前記電流センサ２５により検出された電流値をＡ／Ｄ変換するＡ／Ｄ変換器２６と、前記Ａ／Ｄ変換器２６でデジタル化された電流データに基づいて前記直流電源回路２１及び前記波形生成回路２３を制御する制御部２７とから構成される。
【００１３】
前記制御部２７は、生体組織に供給される電流が出力開始から最大電流値Ｉmaxに達するまでの時間を計測する計測手段としてのタイマ２７ａと、このタイマ２７ａで計測された時間Ｔ及び最大電流値Ｉmaxとの組み合わせ（Ｉmax，Ｔ）から生体組織４ａの厚みｔ及び生体組織４ａとこの生体組織４ａを把持している電極３との接触面積（以下、単に接触面積）Ａを求めるための後述のテーブルデータ（Ａ，ｔ）を記憶しているＲＯＭ２７ｂとを有している。
【００１４】
次に図６及び図７を参照し、図３に示すフローチャートに従って、前記制御部２７の動作を説明する。
先ず、患者４の生体組織４ａを一対の電極３で把持して、フットスイッチ５をオンする。フットスイッチ５が踏まれると、制御部２７はステップＳ１で最大電流値Ｉmax及び時間Ｔに０を設定し、出力開始から最大電流値Ｉmaxに達するまでの時間を前記タイマ２７ａによる計測を開始する。次にステップＳ２で出力電力が予め設定された初期設定値になるように、直流電源回路２１、波形生成回路２３を制御する。ここで、高周波電力と高周波電流との時間変化は、例えば図６又は図７に示すようになっている。
【００１５】
一般的に高周波電流は、出力開始直後に一旦上昇するが、その後急激に下降する。これにより、高周波電流の上昇中は生体組織４ａに加熱が行われ、生体組織４ａの温度が沸点に達した場合、生体組織４ａ中に存在している水分が蒸発することによって抵抗値が上昇し電流値が低下することが予想される。
【００１６】
ここで時間Ｔ＝０の時点で、高周波電力は初期設定値通りに出力されている。この後、ステップＳ３からステップＳ６を繰り返し、高周波電流の第１目標値として最大電流値Ｉmaxを決定すると共に、出力開始から最大電流値Ｉmaxに達するまでの時間を計測する。
【００１７】
ステップＳ３で、高周波電流は電流センサ２５で検出され、検出された電流値はＡ／Ｄ変換器２６でデジタルデータに変換される。デジタルデータに変換された電流値は、電流値Ｉとして制御部２７に渡される。そして、制御部２７は、ステップＳ４で電流の最大電流値（第１目標値）Ｉmaxを求める最大値判定を行う。ステップＳ４での動作の詳細をステップＳ５及びステップＳ６に示す。
【００１８】
ステップＳ５で前回までの最大電流値Ｉmaxと今回測定した電流値Ｉとの大小の比較を行う。そして、電流値Ｉが前回までの最大電流値Ｉmaxよりも大きい場合には、ステップＳ６でＩmaxの値をＩに置き換え、時間Ｔを記憶し、ステップＳ３へ戻る。これは電流値Ｉが前回までの最大電流値Ｉmaxを下回るまで繰り返される。
【００１９】
一方、電流値Ｉが前回までの最大電流値Ｉmaxを下回った場合には、今回の最大電流値（第１目標値）Ｉmaxが決定したことになり、ステップ７へ移る。ステップＳ７で制御部２７は、Ｉmax及びこのＩmax到達までに要した時間（以下、単に時間）Ｔを用いて、以下に示す表１により生体組織４ａの厚みｔ及び接触面積Ａを求める。
【００２０】
以下にステップＳ７での動作の詳細を説明する。
一般的に、抵抗値Ｒは面積Ａに反比例し、長さ（厚さ）ｔに比例し、電流Ｉは抵抗Ｒと反比例する。
Ｒ∝ｌ／Ａ、Ｒ∝１／Ｉ           ・・・（１）
また、電極３によって挟まれた生体組織４ａの体質Ｖは、面積Ａと厚みｔとの積によって求められる。
Ｖ＝Ａ×ｔ                       ・・・（２）
単位体積辺りの通常組織がタンパク変性を起こすエネルギ量は、出力Ｗと時間Ｔとの積によって求められ、
Ｔ∝Ｖ∝Ａ×ｔ                   ・・・（３）
という関係が得られる。
【００２１】
本実施の形態では、最大電流値Ｉmax及び時間Ｔとの組み合わせ（Ｉmax，Ｔ）を基にして、制御部２７が簡易的に３種類の生体組織４ａの厚みｔ１〜ｔ３及び接触面積Ａ１〜Ａ３に関するテーブルデータ（Ａ１〜Ａ３，ｔ１〜ｔ３）を前記ＲＯＭ２７ｂに有しており、このＲＯＭ２７ｂに記憶されているテーブルデータ（Ａ１〜Ａ３，ｔ１〜ｔ３）がそれぞれ以下の関係を有している場合について説明する。
【００２２】
【表１】
0003780140.tif 000002
尚、この表１では、最大電流値Ｉmax及び時間Ｔの組み合わせ（Ｉmax，Ｔ）の基準値として接触面積Ａ２及び生体組織４ａの厚みｔ２の組み合わせ（Ａ２，ｔ２）を予め定められた初期設定値（Ａset，ｔset）とし、この（Ａ２，ｔ２）を基準値として以下の関係となっている。
ｔ１：ｔ２：ｔ３＝１／２：１：２，Ａ１：Ａ２：Ａ３＝１／２：１：２，
Ｉ＝Ａ２／ｔ２，Ｖ＝Ａ２×ｔ２ ・・・（４）
この表１より、最大電流値Ｉmax及び時間Ｔの組み合わせ（Ｉmax，Ｔ）を用いて、現在の接触面積Ａ及び生体組織４ａの厚みｔの組み合わせ（Ａ，Ｔ）を知ることができる。
例えば、電流値がＩで時間が４Ｔである場合（Ｉ，４Ｔ）は、表１より接触面積はＡ３、厚みはｔ３であること、即ち（Ａ３，ｔ３）であることが分かる。尚、図６に示しているグラフは、この（Ａ３，ｔ３）の場合である。また、別例として、電流値がＩで時間が０．２５Ｔである場合（Ｉ，０．２５Ｔ）は、表１より接触面積はＡ１、厚みはｔ１であること、即ち（Ａ１，ｔ１）であることが分かる。尚、図７に示しているグラフは、この（Ａ１，ｔ１）の場合である。
【００２３】
ステップＳ８では、得られた接触面積Ａ及び生体組織４ａの厚みｔの組み合わせ（Ａ，ｔ）と、初期設定値の接触面積Ａset及び厚みｔsetの組み合わせ（Ａset，ｔset）との比較を行い、この比較結果（Ａ＜Ａset  orｔ＜ｔset）によって、その後の高周波電力の出力及び第２目標値としての凝固完了電流値の設定を２系統に場合分けして、出力の再設定又は第２目標値としての凝固完了電流値を決定する。
【００２４】
ここで、図６及び図７のグラフのそれぞれの場合について説明する。先ず、図６の（Ａ３，ｔ３）の場合について説明する。
図６の（Ａ３，ｔ３）の場合には、接触面積及び厚みがそれぞれ初期設定値（Ａset，ｔset）の２倍であるので、ステップＳ９へ移行する。ステップＳ９では得られた接触面積Ａ３及び厚みｔ３の組み合わせ（Ａ３，ｔ３）より、出力の再設定を行う。この場合は、出力は設定出力のままとする。
次に、ステップＳ１０では得られた接触面積Ａ３及び厚みｔ３の組み合わせ（Ａ３，ｔ３）より、凝固完了電流値（第２目標値）Ｉｆの設定を行う。この場合には、Ｉｆ＝Ｉmax×７０％とする。
【００２５】
一方、図７の（Ａ１，ｔ１）の場合には、接触面積及び厚みがそれぞれ初期設定値（Ａset，ｔset）の１／２倍であるので、ステップＳ１１へ移行する。
ステップＳ１１では得られた接触面積Ａ１及び厚みｔ１の組み合わせ（Ａ１，ｔ１）より、出力の再設定を設定出力×５０％にする。そして、ステップＳ１２では凝固完了電流値Ｉｆ＝Ｉmax×５０％とする。
【００２６】
ここで、出力、凝固完了電流値を下げているのは、以下の理由のためである。
接触面積が小さく、厚みが薄い場合、Ｉmax後に把持された組織が急激に加熱され組織内の水分がすぐに蒸発することで、組織が炭化したり、電極３と組織が付着するのを防ぐために、比較的弱い出力で長時間出力を行うようにしている。
【００２７】
この後、ステップＳ１３で再度電流値Ｉの測定を行い、電流値Ｉが凝固完了電流値（第２目標値）Ｉｆを下回るまで、ステップＳ１４で電流値Ｉと凝固完了電流値Ｉｆとの比較を行い、電流値Ｉが凝固完了電流値Ｉｆを下回った場合は、ステップＳ１５で電極３が把持した生体組織４ａの凝固が完了したとみなし、電力を５０％低下させ終了（ステップＳ１６）となる。
【００２８】
この結果、高周波電流の変化に基づき、電極３と組織の接触面積及び厚みを認識するため、いかなる条件においても、確実に凝固終了の判定を行い、生体組織４ａの炭化及び生体組織４ａの電極３への付着を防止できる。
【００２９】
尚、本実施の形態では接触面積と厚みにより、その後の高周波電力の出力及び凝固完了電流値の設定を２系統にして説明したが、本発明はこれに限られるものではない。また、本実施の形態では表１を用いて、接触面積と厚みを求めたが、予めＡ＝ｆ（Ｉmax，Ｔ）、ｔ＝ｇ（Ｉmax，Ｔ）の近似式を与え、この近似式から算出しても良い。また、電流値の変化については、測定をより正確におこなうために、数回の平均値を用いても良い。更に加えて、本実施の形態では凝固完了判定後の出力を５０％としたが、その値に限られるものではなく、１００％以下であれば良い。
【００３０】
また、本実施の形態では、物理量の検出手段を電流センサとしたが、これに限定されるものではなく、電圧センサでも、電流センサと電圧センサとの組み合わせでも良い。
【００３１】
（第２の実施の形態）
図８ないし図１０は本発明の第２の実施の形態に係り、図８は本発明の第２の実施の形態を備えた制御部の制御の流れを示すフローチャート、図９は高周波電源の動作を説明する第１のグラフ、図１０は高周波電源の動作を説明する第２のグラフである。
【００３２】
上記第１の実施の形態では高周波電流から検出した電流値を用いて接触面積と厚みを求め、高周波電力の出力及び第２目標値としての凝固完了電流値の設定を行っていたが、本第２の実施の形態では電流値の代わりにインピーダンス（以下、抵抗）値を用いて接触面積と厚みを求めるように構成する。それ以外の構成は、第１の実施の形態とほぼ同様であるので説明を省略し、図９及び図１０を参照し、図８に示すフローチャートに従って、制御部２７の動作を説明する。
【００３３】
先ず、患者４の生体組織４ａを一対の電極３で把持して、フットスイッチ５をオンする。フットスイッチ５が踏まれると、制御部２７はステップＳ２１で最小抵抗値Ｚminに１００及び時間Ｔに０を設定し、出力開始から最小抵抗値Ｚminに達するまでの時間を前記タイマ２７ａによる計測を開始する。次にステップＳ２２で出力電力が予め設定された初期設定値になるように、直流電源回路２１、波形生成回路２３を制御する。ここで、高周波電力と抵抗との時間変化は、例えば図９又は図１０に示すようになっている。
【００３４】
一般的に抵抗は出力開始直後に一旦下降するが、人体組織が加熱によって乾燥することに伴い急激に上昇する。
ここで時間Ｔ＝０の時点で、高周波電力は初期設定値通りに出力されている。この後、ステップＳ２３からステップＳ２６を繰り返し、第１目標値として最小抵抗値Ｚminを決定すると共に、出力開始から最小抵抗値Ｚminに達するまでの時間を計測する。
【００３５】
ステップＳ２３で、高周波電流は電流センサ２５で検出され、検出された電流値はＡ／Ｄ変換器２６でデジタルデータに変換される。デジタルデータに変換された電流値は、電流値Ｉとして制御部２７に渡される。そして、制御部２７は、設定出力と電流値Ｉから抵抗値Ｚを求め、ステップＳ２４で最小抵抗値（第１目標値）Ｚminを求める最小値判定を行う。
【００３６】
このように抵抗値の変化は第１の実施の形態で説明した電流値の変化とほぼ反対の動きをし、図８のフローチャートに記載した動きに従って、以下に示す表２により生体組織４ａの厚みｔ、接触面積Ａを求める。
【００３７】
【表２】
0003780140.tif 000003
尚、この表２では、最小抵抗値Ｚmin及び時間Ｔの組み合わせ（Ｚmin，Ｔ）の基準値として表１と同様に接触面積Ａ２及び生体組織４ａの厚みｔ２の組み合わせ（Ａ２，ｔ２）を予め定められた初期設定値（Ａset，ｔset）とし、この（Ａ２，ｔ２）を基準値としている。
この表２より、最小抵抗値Ｚmin及び時間Ｔを用いて、現在の接触面積Ａ、生体組織４ａの厚みｔを知ることができる。
【００３８】
ステップＳ２８では、得られた接触面積Ａ及び生体組織４ａの厚みｔの組み合わせ（Ａ，ｔ）と、初期設定値の接触面積Ａset及び厚みｔsetの組み合わせ（Ａset，ｔset）との比較を行い、この比較結果（Ａ＜Ａset  orｔ＜ｔset）によって、その後の高周波電力の出力及び第２目標値としての凝固完了抵抗値の設定を２系統に場合分けして、出力の再設定又は第２目標値としての凝固完了抵抗値を決定する。
【００３９】
ここで、図９及び図１０のグラフのそれぞれの場合について説明する。先ず、図９の（Ａ３，ｔ３）の場合について説明する。
図９の（Ａ３，ｔ３）の場合には、ステップＳ２８からステップＳ２９へ移行し、ステップＳ２９で出力の再設定を行う。この場合は、出力は設定出力のままとする。
次に、ステップＳ１０では凝固完了抵抗値（第２目標値）Ｚｆの設定を行う。この場合には、Ｚｆ＝Ｚmin×１４０％とする。
一方、図１０の（Ａ１，ｔ１）の場合には、ステップＳ２８からステップＳ３１へ移行し、ステップＳ３１では出力の再設定を設定出力×５０％にする。そして、ステップＳ３２では凝固完了抵抗値Ｚｆ＝Ｚmin×２００％とする。
【００４０】
この後、ステップＳ３３で再度抵抗値Ｚの測定を行い、抵抗値Ｚが凝固完了抵抗値（第２目標値）Ｚｆを上回るまで、ステップＳ３４で抵抗値Ｚと凝固完了抵抗値Ｚｆとの比較を行い、抵抗値Ｚが凝固完了抵抗値Ｚｆを上回った場合は、ステップＳ３５で電極３が把持した生体組織４ａの凝固が完了したとみなし、電力を５０％低下させ終了（ステップＳ３６）となる。
【００４１】
この結果、抵抗の変化に基づき第１の実施の形態と同様に、電極３と組織の接触面積及び厚みを認識するため、いかなる条件においても、確実に凝固終了の判定を行い、生体組織４ａの炭化及び生体組織４ａの電極３への付着を防止できる。
【００４２】
尚、本発明は、上記した実施の形態にのみ限定されるものではなく、本発明の要旨を逸脱しない範囲で種々変形実施可能である。
【００４３】
［付記］
（付記項１）  処置エネルギを手術具に供給する処置エネルギ発生手段と、
前記処置エネルギ発生手段の出力を可変する可変手段と、
前記処置エネルギ発生手段から前記手術具を介して生体組織に供給される処置エネルギの物理量を検出する検出手段と、
前記処置エネルギ発生手段の出力開始から前記検出手段が所定の変化量を検出するまでの時間を計測する計測手段と、
前記検出手段の検出結果及び前記計測手段の計測時間に基づき、前記可変手段を制御する制御手段と、
を具備したことを特徴とする電気手術装置。
【００４４】
（付記項２）  前記検出手段で検出する物理量は、電流値、電圧値又はインピーダンス値であることを特徴とする付記項１に記載の電気手術装置。
【００４５】
（付記項３）  前記制御手段は、前記検出手段で検出した検出値から所定の関数によって第１目標値を決定する第１目標値決定手段と、前記第１目標値決定手段により決定した第１目標値及び前記計測手段で計測した前記第１目標値に達するまでの計測時間によって、前記手術具で把持される生体組織の厚み及びこの生体組織と前記手術具との接触面積を算出する算出手段と、を有し、前記算出手段の算出結果によって第２目標値及び前記高周波電流の出力を決定することを特徴とする付記項１に記載の電気手術装置。
【００４６】
（付記項４）  前記検出手段は電流センサであり、この電流センサで検出される検出値は電流値であることを特徴とする付記項１に記載の電気手術装置。
【００４７】
（付記項５）  前記検出手段は電圧センサであり、この電圧センサで検出される検出値は電圧値であることを特徴とする付記項１に記載の電気手術装置。
【００４８】
（付記項６）  前記検出手段は電圧センサ及び電流センサであり、これらの電圧センサ及び電流センサで検出される検出値は電圧値及び電流値であることを特徴とする付記項１に記載の電気手術装置。
【００４９】
（付記項７）  前記第２目標値は、止血完了予測点又は凝固完了予測点であることを特徴とする付記項２に記載の電気手術装置。
【００５０】
（付記項８）  前記算出手段による算出結果として、前記手術具で把持される生体組織の接触面積に対する生体組織の厚みの比率が小さい場合、予め定めた高周波電流の所定出力よりも低い出力に調整することを特徴とする付記項２に記載の電気手術装置。
【００５１】
（付記項９）  前記算出手段による算出結果として、前記手術具で把持される生体組織の接触面積に対する生体組織の厚みの比率が小さい場合、予め定めた高周波電流の所定出力よりも低い出力になるように調整することを特徴とする付記項１に記載の電気手術装置。
【００５２】
（付記項１０）  前記算出手段による算出結果として、前記手術具で把持される生体組織の接触面積に対する生体組織の厚みの比率が小さい場合、高周波電流の時間が長くなるように前記第２目標値を調整することを特徴とする付記項２に記載の電気手術装置。
【００５３】
（付記項１１）  前記物理量が前記第２目標値に到達後、再度高周波電流の出力調整を行うことを特徴とする付記項２に記載の電気手術装置。
【００５４】
【発明の効果】
以上説明したように本発明によれば、生体組織とこの生体組織を把持する手術具（電極）との接触面積及び手術具（電極）によって把持された生体組織の厚みによらず、確実に凝固処置の終了の判定を行い、生体組織の炭化及び生体組織の手術具（電極）への付着を防止できる。また、生体組織の変性のスピードを判断し易い範囲に保ち、凝固状態の判断が容易であるという効果を得る。
【図面の簡単な説明】
【図１】本発明の第１の実施の形態の電気手術装置の全体構成を説明する外観構成図
【図２】図１の高周波焼灼電源の構成を示す回路ブロック図
【図３】図２に示される制御部の制御の流れを示すフローチャート
【図４】電極が組織を把持した際の正面図
【図５】電極が組織を把持した際の上面図
【図６】高周波電源の動作を説明する第１のグラフ
【図７】高周波電源の動作を説明する第２のグラフ
【図８】本発明の第２の実施の形態を備えた制御部の制御の流れを示すフローチャート
【図９】高周波電源の動作を説明する第１のグラフ
【図１０】高周波電源の動作を説明する第２のグラフ
【符号の説明】
１        …電気手術器
２        …高周波焼灼電源
３        …電極（一対の電極）
５        …フットスイッチ
２１      …直流電源回路
２２      …高周波発生回路
２３      …波形生成回路
２４      …出力トランス
２５      …電流センサ
２６      …Ａ／Ｄ変換器
２７      …制御部
２７ａ    …タイマ
２７ｂ    …ＲＯＭ
【図１】
0003780140.tif 000004
【図２】
0003780140.tif 000005
【図３】
0003780140.tif 000006
【図４】
0003780140.tif 000007
【図５】
0003780140.tif 000008
【図６】
0003780140.tif 000009
【図７】
0003780140.tif 000010
【図８】
0003780140.tif 000011
【図９】
0003780140.tif 000012
【図１０】
0003780140.tif 000013